【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
複数のネットワーク事業者のうちの第1のネットワーク事業者に関連するデバイスによるワイヤレス通信の方法であって、
複数のチャネルのうちの第1のチャネルを識別するステップであって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、ステップと、
前記複数のチャネルのうちの第2のチャネルを識別するステップであって、前記第2のネットワーク事業者が、前記第1のネットワーク事業者に優先して前記第2のチャネルを使用する優先度を有する、ステップと、
前記第1のチャネルを使用して競合せずに通信するステップと、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理するステップと、
前記第2のチャネルを使用して、通信の前記リスン処理に少なくとも部分的に基づいて前記第1のネットワーク事業者に関連するワイヤレスノードと通信するステップと
を含む、方法。
【請求項２】
前記第1のネットワーク事業者が、ネットワークオペレーティングエンティティコーディネータによって前記第1のチャネルに対する複数の優先度の最高優先度として割り当てられる、請求項1に記載の方法。
【請求項３】
前記TXOPの前記間隔のセットのサブセットが、前記第2のチャネルに対する前記複数のネットワーク事業者の優先度のセットに少なくとも部分的に基づいて順序付けられ、
前記リスン処理するステップが、
前記優先度のセットのうち、前記第2のチャネルに対する前記第1のネットワーク事業者の優先度に対応する間隔にわたって待機するステップと、
前記第2のチャネルに対する前記第1のネットワーク事業者の前記優先度に対応する前記間隔にわたって待機する間に、前記通信をリスン処理するステップと
を含む、または
前記方法が、
前記優先度のセットのうち、前記第2のチャネルに対する前記第1のネットワーク事業者の優先度に対応する特定の間隔の間に送信するステップ
をさらに含む、請求項1に記載の方法。
【請求項４】
前記リスン処理するステップが、
前記第1のネットワーク事業者の前記優先度よりも前記第2のチャネルに対してより高い優先度を有する、前記複数のネットワーク事業者のうちの他のネットワーク事業者のサブセットに関連する通信をリスン処理するステップ
を含む、請求項1に記載の方法。
【請求項５】
前記リスン処理するステップが、
前記複数のネットワーク事業者が前記複数のチャネルのチャネルのセット上で無音である期間の間にリスン処理するステップ
をさらに含み、
前記チャネルのセットが前記第1のチャネルを含む、請求項1に記載の方法。
【請求項６】
前記間隔のセットが、送信期間とギャップ期間とを含む、請求項1に記載の方法。
【請求項７】
前記リスン処理に少なくとも部分的に基づいて、前記第2のチャネルの前記TXOPの前記間隔のセットの間に前記1つまたは複数のネットワーク事業者からの通信の不在を判定するステップと、
前記判定に少なくとも部分的に基づいて、前記第2のチャネルの前記TXOPの間隔の他のセットの間に通信するステップと
をさらに含み、
前記TXOPの前記間隔の他のセットの間に通信するステップが、
前記ワイヤレスノードとのデータ、または
前記ワイヤレスノードと前記データを通信する意図の指示
のうちの少なくとも1つを通信するステップを含む、請求項1に記載の方法。
【請求項８】
前記リスン処理に少なくとも部分的に基づいて、前記第2のチャネルに対するより高い優先度を有する、前記1つまたは複数の他のネットワーク事業者のうちの他のネットワーク事業者からのシグナリングを識別するステップであって、
前記シグナリングが、前記他のネットワーク事業者が、通信のために前記第2のチャネルの前記TXOPの間隔の他のセットを使用しないことを示す、
ステップと、
前記シグナリングに少なくとも部分的に基づいて、前記第2のチャネルの前記TXOPの前記間隔の他のセットの間に通信するステップと
をさらに含む、請求項1に記載の方法。
【請求項９】
前記第2のチャネルを使用して通信が生じることになることを、前記複数のネットワーク事業者のうちの他のネットワーク事業者に示すステップ
をさらに含み、
前記他のネットワーク事業者が、前記第2のチャネルに対して前記第1のネットワーク事業者よりも低い優先度を有する、請求項1に記載の方法。
【請求項１０】
前記第1のチャネルを使用して通信が生じないことになることを、前記複数のネットワーク事業者のうちの他のネットワーク事業者に示すステップ
をさらに含み、
前記他のネットワーク事業者が、前記第1のチャネルに対して前記第1のネットワーク事業者よりも低い優先度を有する、請求項1に記載の方法。
【請求項１１】
前記第1のチャネルが第1の帯域に関連付けられ、前記第2のチャネルが第2の帯域に関連付けられ、
前記第1の帯域が前記第2の帯域とは異なる、または
前記第1のチャネルおよび前記第2のチャネルが共通帯域を共有する、請求項1に記載の方法。
【請求項１２】
複数のネットワーク事業者のうちの第1のネットワーク事業者に関連するワイヤレス通信のための装置であって、
複数のチャネルのうちの第1のチャネルを識別するための手段であって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、手段と、
前記複数のチャネルのうちの第2のチャネルを識別するための手段であって、前記第2のネットワーク事業者が、前記第1のネットワーク事業者に優先して前記第2のチャネルを使用する優先度を有する、手段と、
前記第1のチャネルを使用して競合せずに通信するための手段と、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理するための手段と、
前記第2のチャネルを使用して、通信の前記リスン処理に少なくとも部分的に基づいて前記第1のネットワーク事業者に関連するワイヤレスノードと通信するための手段と
を含む、装置。
【請求項１３】
前記第1のネットワーク事業者が、ネットワークオペレーティングエンティティコーディネータによって前記第1のチャネルに対する複数の優先度の最高優先度として割り当てられる、請求項12に記載の装置。
【請求項１４】
前記TXOPの前記間隔のセットのサブセットが、前記第2のチャネルに対する前記複数のネットワーク事業者の優先度のセットに少なくとも部分的に基づいて順序付けられ、
前記リスン処理するための手段が、
前記優先度のセットのうち、前記第2のチャネルに対する前記第1のネットワーク事業者の優先度に対応する間隔にわたって待機するための手段と、
前記第2のチャネルに対する前記第1のネットワーク事業者の前記優先度に対応する前記間隔にわたって待機する間に、前記通信をリスン処理するための手段と
を含む、または
前記装置が、
前記優先度のセットのうち、前記第2のチャネルに対する前記第1のネットワーク事業者の優先度に対応する特定の間隔の間に送信するための手段
をさらに含む、請求項12に記載の装置。
【請求項１５】
コンピュータによって実行されると、請求項1から11のいずれか一項に記載の方法を行うためのワイヤレス通信のための命令を含む、コンピュータプログラム。